(57)【要約】【課題】  シートカバーの装着を少ない部品点数で簡単かつ確実に行うことができ、またカバー装着用部品として金属部品が混在しないため優れたリサイクル性を発揮することができる車両用シートを提供すること。【解決手段】  シートバックフレームにパッド部材を取り付け、その表面全体を袋状のシートカバーで覆った車両用シートにおいて、前記シートカバー１裏面の天板側と背裏側に縦吊り布２，３を形成するとともに該縦吊り布２，３内に吊り紐４を挿通し、この吊り紐４の端部に設けた天板側ストッパー部材５と背裏側ストッパー部材６との係合により吊り紐４をシートバックフレーム１０の上部および下部間で張設して、シートカバー１をパッド部材１４の表面に密着・固定させたものとした。【選択図】      図１
2006304823.tif 000002
【特許請求の範囲】
【請求項１】
シートバックフレームにパッド部材を取り付け、その表面全体を袋状のシートカバーで覆った車両用シートにおいて、前記シートカバー裏面の天板側と背裏側に縦吊り布を形成するとともに該縦吊り布内に吊り紐を挿通し、この吊り紐の端部に設けた天板側ストッパー部材と背裏側ストッパー部材との係合により吊り紐をシートバックフレームの上部および下部間で張設して、シートカバーをパッド部材の表面に密着・固定させたことを特徴とする車両用シート。
【請求項２】
天板側ストッパー部材には縦孔状の凹部が設けられているとともに、背裏側ストッパー部材には該凹部に嵌合可能な棒状部が設けられており、これら凹部と棒状部の嵌合によって吊り紐の端部どうしが連結されている請求項１に記載の車両用シート。
【請求項３】
天板側ストッパー部材にはシートバックフレームのロアパネルと固定するための係止用突起が設けられ、この係止用突起がロアパネルに設けられた係止孔に係止されている請求項１または２に記載の車両用シート。
【請求項４】
吊り紐は、連続する１本の紐状体からなり、天板側と背裏側の両吊り布の上端部より上方にて折り返されループ部を形成し、紐状体の両端部の各々が両吊り布の下端部から引き出されるように挿通されており、シートカバーを固定させた状態で前記ループ部がシートバックフレームのアッパフレームを巻き込む状態に設置される請求項１に記載の車両用シート。
【請求項５】
天板側の吊り布から引き出された紐状体の端部が、シートバックフレームの下方に横断設置されたコネクティングロッドを巻き込む状態で、端部に設けた天板側ストッパー部材と背裏側ストッパー部材とが係合されている請求項４に記載の車両用シート。
【発明の詳細な説明】
【技術分野】
【０００１】
本発明は、シートカバーの装着を少ない部品点数で簡単かつ確実に行うことができ、またカバー装着用部品として金属部品が混在しないため優れたリサイクル性を発揮することができる車両用シートに関するものである。
【背景技術】
【０００２】
従来から、例えば自動車用シートとしてシートバックフレームにパッド部材を取り付け、その表面をシートカバーで覆ったシートが広く使用されている。この場合、シートカバーの天板部をパッド部材に密着する方法として、シートカバーの周辺部に設けた吊り布内に挿通されているエッジワイヤと、パッド部材内に埋設されているインサートワイヤとをホグリングやＣリング等でカシメ連結する方法（特許文献１や特許文献２を参照）や、スリッパタイプのシートカバーの周辺部をシートバックフレームの固定用ワイヤに連結し、その後バックボードを取り付ける方法等が知られている。
【０００３】
しかしながら、前者の場合はエッジワイヤ、インサートワイヤ、ホグリング等を使用するため組立工数が多くなるとともに生産コストも高くなり、廃棄処分後の解体時において前記エッジワイヤ等の金属部材の分別作業が面倒でリサイクル性に劣るという問題点があった。また、後者の場合は固定用ワイヤや別部材のバックボードが必要となり組立工数が多くなるとともに生産コストも高くなるという問題点があった。
一方、組立工数を減らし生産コストも安価にするようにシート全体を覆う袋状のシートカバーを用いることも提案されているが、この場合は組立作業上、背裏縦吊り用のワイヤを入れることが困難なため、シートカバーの引き込みができず意匠性に乏しくなるという問題点を有していた。
【特許文献１】実開平７−５５００号公報
【特許文献２】特開平１１−３４２２７９号公報
【発明の開示】
【発明が解決しようとする課題】
【０００４】
本発明は上記のような問題点を解決して、シートカバーの装着を少ない部品点数で簡単かつ確実に行うことができるうえに、カバー装着用部品として金属部品が混在しないため優れたリサイクル性を発揮することができ、更には袋状のシートカバーでありながら引き込みができて優れた意匠性も奏する車両用シートを提供することを目的として完成されたものである。
【課題を解決するための手段】
【０００５】
上記課題を解決するためになされた本発明の車両用シートは、シートバックフレームにパッド部材を取り付け、その表面全体を袋状のシートカバーで覆った車両用シートにおいて、前記シートカバー裏面の天板側と背裏側に縦吊り布を形成するとともに該縦吊り布内に吊り紐を挿通し、この吊り紐の端部に設けた天板側ストッパー部材と背裏側ストッパー部材との係合により吊り紐をシートバックフレームの上部および下部間で張設して、シートカバーをパッド部材の表面に密着・固定させたことを特徴とするものである。
【０００６】
また、天板側ストッパー部材には縦孔状の凹部が設けられているとともに、背裏側ストッパー部材には該凹部に嵌合可能な棒状部が設けられており、これら凹部と棒状部の嵌合によって吊り紐の端部どうしが連結されているものを請求項２に係る発明とする。
更に、天板側ストッパー部材にはシートバックフレームのロアパネルと固定するための係止用突起が設けられ、該係止用突起がロアパネルに設けられた係止孔に係止されているものを請求項３に係る発明とする。
【発明の効果】
【０００７】
本発明では、シートカバー裏面の天板側と背裏側に縦吊り布を形成するとともに該縦吊り布内に吊り紐を挿通し、この吊り紐の端部に設けた天板側ストッパー部材と背裏側ストッパー部材との係合により吊り紐をシートバックフレームの上部および下部間で張設して、シートカバーをパッド部材の表面に密着・固定させたものとしたので、吊り紐の操作のみでシートカバーを簡単かつ確実に装着できる。また、カバー装着用部品としてワイヤ等の金属部品が混在しないため優れたリサイクル性を発揮することができ、更には袋状のシートカバーでありながら引き込みができて優れた意匠性も奏することとなる。
【０００８】
また請求項２の発明では、天板側ストッパー部材には縦孔状の凹部が設けられているとともに、背裏側ストッパー部材には該凹部に嵌合可能な棒状部が設けられており、これら凹部と棒状部の嵌合によって吊り紐の端部どうしが連結されているものとしたので、吊り紐端部の連結をワンタッチ操作により簡単に行えることとなる。
請求項３の発明では、天板側ストッパー部材にはシートバックフレームのロアパネルと固定するための係止用突起が設けられ、該係止用突起がロアパネルに設けられた係止孔に係止されているものとしたので、吊り紐を固定できてシートカバーの引き込み状態を確実に保持できることとなる。
請求項４の発明では、吊り紐は、連続する１本の紐状体からなり、天板側と背裏側の両吊り布の上端部より上方にて折り返されループ部を形成し、紐状体の両端部の各々が両吊り布の下端部から引き出されるように挿通されており、シートカバーを固定させた状態で前記ループ部がシートバックフレームのアッパフレームを巻き込む状態に設置されるものとしたので、ループ部がアッパフレームを巻き込むように設置し、上下方向の上部の位置固定部とすることで、紐状体の端部をした方向に引っ張り可能となり、カバーの張設ができることとなる。
請求項５の発明では、天板側の吊り布から引き出された紐状体の端部が、シートバックフレームの下方に横断設置されたコネクティングロッドを巻き込む状態で、端部に設けた天板側ストッパー部材と背裏側ストッパー部材とが係合されているものとしたので、ストッパー部材上部に加え、下部の位置固定部を定めることができることとなる。
【発明を実施するための最良の形態】
【０００９】
以下に、図面を参照しつつ本発明の好ましい形態を示す。
図面は、本発明を自動車用フロントシートに適用した場合を示すものであり、図１はシートバックカバーを示す一部切欠斜視図、図２は天板側ストッパー部材と背裏側ストッパー部材を示す斜視図、図３はシートバック本体を示す一部切欠斜視図である。
図１において、１は袋状のシートカバー、２はこのシートカバー１の裏面の天板側に形成された縦吊り布、３は同じく背裏側に形成された縦吊り布である。
【００１０】
そして、この縦吊り布３内には１本の吊り紐４が挿通されている。この吊り紐４は、シートカバー１の裏面の縦断面形状に沿うように挿通されるものである。図示のものでは、吊り紐４を天板側の縦吊り布２の下方部から挿通してシートカバー１の天井部でループ部４ａを形成してＵターンさせた後、背裏側の縦吊り布３に挿通し、その下方部から引き出してある。
【００１１】
また、吊り紐４の端部にはそれぞれ天板側ストッパー部材５と背裏側ストッパー部材６が固定状態で一体的に設けられている。この天板側ストッパー部材５には、図２に示されるように、縦孔状の凹部５ａが設けられ、一方、背裏側ストッパー部材６には該凹部５ａに嵌合可能な棒状部６ａが設けられており、これら凹部５ａと棒状部６ａの嵌合によって吊り紐４の端部どうしが連結される構造となっている。
なお、天板側ストッパー部材５には、シートバックフレームと固定するための係止用突起５ｂが設けられているが、この点については後述する。また、背裏側ストッパー部材６には棒状部６ａの嵌合関係を保持するためのストッパー６ｂが形成されている。
【００１２】
図３は、シートバック本体を示している。図において、１０はサイドフレーム１１ａとアッパフレーム１１ｂからなるシートバックフレーム、１２はシートバックフレーム１０の下部にあるコネクティングロッド、１３はロアパネルであり、このシートバックフレーム１０にはパッド部材１４が取り付けられている。また、パッド部材１４の下部には板状のパッドロア部１５が形成されており、該パッドロア部１５にはスリット１５ａが形成されている。
なお、１０ａはパッド部材１４の上部に設けられたスリット、１３ａは係止用突起５ｂを挿入するための、ロアパネル１３に設けられた係止孔である。
【００１３】
このように構成されたものでは、袋状のシートカバー１をパッド部材１４が取り付けられているシートバックフレーム１０の上から被せて表面全体を覆う点は従来の車両用シートと基本的に同じである。
本発明では、先ず吊り紐４をパッド部材１４の上部にあるスリット１４ａに嵌め込んで位置決めしておき、次いでシートカバー１を上方部から下方部に向けて被せて表面全体を覆う。シートカバー１を下方部まで被せたら、吊り紐４の天板側ストッパー部材５を下部にあるコネクティングロッド１２を巻き込んだ状態で前方側から後方側へ回し、係止用突起５ｂをロアパネル１３に設けられた係止孔１３ａに挿入・固定する。この時、板状のパッドロア部１５はコネクティングロッド１２を巻き込んだ状態で折り曲げられると同時に、天板側ストッパー部材５はスリット１５ａ内に嵌め込まれた状態で係止孔１３ａに挿入される。
次いで、背裏側ストッパー部材６の棒状部６ａを、天板側ストッパー部材５の凹部５ａに嵌合して吊り紐４の端部どうしを連結し、吊り紐４をシートバックフレーム１０上部のアッパフレーム１１ｂと下部コネクティングロッド１２間で張設して、シートカバー１をパッド部材１４の表面に密着・固定する。
【００１４】
このように、本発明では袋状のシートカバー１を吊り紐４の操作のみで簡単に装着することができる構造であり、従来のようにエッジワイヤ、インサートワイヤ、ホグリング等が不用となって、部品点数の低減によるコストダウンと組付作業性の向上を図ることが可能となる。また、金属部品が混在しないためリサイクル性の向上を図ることも可能となり、更には、シートカバー引き込みによるシートデザインの幅も大きく広げることが可能となる。
【００１５】
また、吊り紐４が伸縮可能な紐体からなるものとすることもできる。
この場合は、紐の長さ設定に多少の誤差が生じても紐体の伸びにより対応可能となる。実施例では、パッド部材１４の弾性により伸縮性のない紐で可能であると考えられるが、アッパフレーム１１ｂとの間にパッド部材１４を介在させない場合は、伸縮可能な紐体が有効と考えられる。
更に、背裏側ストッパー部材６が紐に対して摺動可能なものとすることもできる。
この場合は、背裏側の紐の端部を引っ張った状態で、ストッパー部材６を紐に沿って摺動させ、天板側ストッパー部材５と位置合わせをして係合させる。そして係合と同時に、ストッパー部材６の摺動が規制されるような係合構造とすれば簡単に組み付けを行うことが可能となる。
【００１６】
以上の説明からも明らかなように、本発明はシートバックフレームにパッド部材を取り付け、その表面全体を袋状のシートカバーで覆った車両用シートにおいて、前記シートカバー１裏面の天板側と背裏側に縦吊り布２，３を形成するとともに該縦吊り布２，３内に吊り紐４を挿通し、この吊り紐４の端部に設けた天板側ストッパー部材５と背裏側ストッパー部材６との係合により吊り紐４をシートバックフレーム１０の上部および下部間で張設して、シートカバー１をパッド部材１４の表面に密着・固定させた構造であるので、シートカバーの装着を少ない部品点数で簡単かつ確実に行うことができるうえに、カバー装着用部品として金属部品が混在しないため優れたリサイクル性を発揮することができ、更には袋状のシートカバーでありながら引き込みができるので優れた意匠性も発揮することができる。また、吊り紐による引き込み構造であり従来のような金属ワイヤ等を用いないため、異物感がなく優れた着座感を発揮するという利点もある。
【図面の簡単な説明】
【００１７】
【図１】本発明に係るシートバックカバーを示す一部切欠斜視図である。
【図２】天板側ストッパー部材と背裏側ストッパー部材を示す斜視図である。
【図３】本発明に係るシートバック本体を示す一部切欠斜視図である。
【符号の説明】
【００１８】
１  シートカバー
２  天板側の縦吊り布
３  背裏側の縦吊り布
４  吊り紐
４ａ  ループ部
５  天板側ストッパー部材
５ａ  凹部
５ｂ  係止用突起
６  背裏側ストッパー部材
６ａ  棒状部
６ｂ  ストッパー
１０  シートバックフレーム
11ａ  サイドフレーム
11ｂ  アッパフレーム
１２  コネクティングロッド
１３  ロアパネル
13ａ  係止孔
１４  パッド部材
14ａ  スリット
１５  パッドロア部
15ａ  スリット
【図１】
2006304823.tif 000003
【図２】
2006304823.tif 000004
【図３】
2006304823.tif 000005